(57)【要約】【課題】ナースコール親機で基板交換や修理を行う場合でも、できるだけ医療従事者が患者の呼び出しを把握できるようにする。【解決手段】ナースコール子機１が設置されている病室の出入口近傍の廊下側に設置され、ナースコール子機１により呼び出しが行われたことを表示する廊下灯５と、ナースコール子機１により呼び出しが行われたことを報知するナースコール親機２０と、ナースコール親機２０とナースコール子機１との間の通信を制御する制御機１０とを備えたナースコールシステムであって、ナースコール親機２０に設けられた操作部２５が操作された場合に、ナースコール子機１により呼び出しが行われたときにのみ、音声による報知を行う予備報知部９を動作させるようにしているので、ナースコール親機２０にて基板交換や修理などが行われる場合には、廊下灯５の予備報知部９による報知の音声を聞いた医療従事者が患者の呼び出しを把握できる。【選択図】図１
2014117439.tif 000002
【特許請求の範囲】
【請求項１】
病室内の患者が居るベッド近傍に設置され、医療従事者を呼び出すために操作される呼出操作部と、前記呼出操作部の操作によって呼出信号を生成する子機制御部と、前記呼出信号を出力する子機インターフェースとを有するナースコール子機と、
前記病室の出入口近傍の廊下側に設置され、前記ナースコール子機から出力された呼出信号を入力する廊下灯インターフェースと、呼び出しが行われたことを表示する表示部と、前記廊下灯インターフェースが前記呼出信号を入力した場合に前記表示部を動作させる廊下灯制御部とを有する廊下灯と、
呼び出しに対応する医療従事者が常駐するナースステーションに設置され、前記ナースコール子機から出力された呼出信号を入力するインターフェースと、前記ナースコール子機からの呼び出しを報知する報知部と、前記インターフェースが前記呼出信号を入力した場合に、前記報知部を動作させる制御部とを有するナースコール親機と、
前記ナースコール親機と前記ナースコール子機との間の通信を制御する制御機とを備えたナースコールシステムであって、
前記ナースコール親機および前記制御機の少なくとも一方が操作部を有し、前記廊下灯が音声による報知を行う予備報知部を有し、前記操作部が操作された場合に、前記廊下灯インターフェースが前記呼出信号を入力したときにのみ、前記廊下灯制御部が前記予備報知部を動作させることを特徴とするナースコールシステム。
【発明の詳細な説明】
【技術分野】
【０００１】
本発明は、ナースコールシステムに関し、特に、患者毎に設置されたナースコール子機からの呼び出しに対して、医療従事者が応答することができるように成されたナースコールシステムに用いて好適なものである。
【背景技術】
【０００２】
一般に、病院や介護施設などでは、ナースコールシステムが用いられている。ナースコールシステムは、病院の入院患者が医者や看護師のサポートを必要とする際、または介護施設の被介護者が介護師のサポートを必要とする際に、入院患者や被介護者（以下、これらをまとめて患者と記載する）がボタン状の呼出操作部を操作することによって医者や看護師、介護師（以下、これらをまとめて医療従事者と記載する）を呼び出すことができるように成されたシステムである。
【０００３】
多くのナースコールシステムは、病室内のベッド近傍などに設置され、呼出操作部を備えるナースコール子機と、医療従事者が常駐するナースステーションに設置され、報知を行うナースコール親機とを備えて構成されている。また、ナースコール子機とナースコール親機との間には廊下灯が設置されている。この廊下灯は、病室の出入口近傍の廊下側の壁面に設置されており、患者がナースコール子機の呼出操作部を操作したことを表示するための表示灯と、病室内の患者の氏名などを記載した患者情報表示部とを備えている。
【０００４】
このように構成されたナースコールシステムでは、患者がナースコール子機の呼出操作部を操作すると、ナースコール子機にて呼出信号を生成する。生成された呼出信号を入力した廊下灯は、表示灯を点灯または点滅させることで、廊下灯が設置された病室内の患者が呼び出しを行ったことを表示する。また、ナースコール子機にて生成された呼出信号を入力したナースコール親機は、スピーカーや表示ディスプレイ、表示ランプなどで構成される報知部を動作させて、呼び出しが行われたことを報知する。
【０００５】
ナースコールステーションに常駐している医療従事者は、ナースコール親機の報知部によって行われる報知により患者が呼び出しを行ったことを把握する。また、病室前の廊下を通りかかった医療従事者は、廊下灯の表示灯を見ることにより患者が呼び出しを行ったことを把握する。
【０００６】
ところで、ナースコールシステムでは、廊下灯とナースコール親機との間に、ナースコール子機とナースコール親機との間の通信を制御するための制御機が設置されている（例えば、特許文献１を参照）。このように構成されたナースコールシステムでは、故障や不具合対策、バージョンアップなどに対応するため、制御機の基板を交換することがある。また、ナースコール親機についても、同様に基板を交換することがある。
【０００７】
しかしながら、制御機やナースコール親機の基板の交換作業を行う際には、ナースコールシステムを一時的に停止させなければならず、患者がナースコール子機を用いて医療従事者を呼び出すことができなくなってしまうという問題があった。
【先行技術文献】
【特許文献】
【０００８】
【特許文献１】特開２００８−１８７４７１号公報
【発明の概要】
【発明が解決しようとする課題】
【０００９】
本発明は、このような問題を解決するために成されたものであり、制御機やナースコール親機の基板を交換する場合でも、できるだけ医療従事者がナースコール子機による患者の呼び出しを把握することができるようにすることを目的とする。
【課題を解決するための手段】
【００１０】
上記した課題を解決するために、本発明では、患者の居るベッド近傍に設置され、この患者が呼び出しを行う際に操作するナースコール子機と、このナースコール子機が設置されている病室の出入口近傍の廊下側に設置され、ナースコール子機により呼び出しが行われたことを表示する廊下灯と、呼び出しに対応する医療従事者が常駐するナースステーションに設置され、ナースコール子機により呼び出しが行われたことを報知するナースコール親機と、ナースコール親機とナースコール子機との間の通信を制御する制御機とを備えたナースコールシステムであって、ナースコール親機および制御機の少なくとも一方に設けられた操作部が操作された場合に、ナースコール子機により呼び出しが行われると、廊下灯に設けられた予備報知部のみにより、音声による報知を行わせるようにし、操作部が操作されていない場合に、ナースコール子機により呼び出しが行われると、ナースコール親機にて報知を行わせるようにしている。
【発明の効果】
【００１１】
上記のように構成した本発明によれば、ナースコール親機や制御機にて基板交換などが行われる場合には、ナースコール親機および制御機の少なくとも一方に設けられた操作部を操作することで、ナースコール子機による呼び出しが廊下灯により音声にて報知されるので、医療従事者は廊下灯から出力される音声を聞くことで、ナースコール子機による患者の呼び出しを把握することができる。
【図面の簡単な説明】
【００１２】
【図１】本実施形態によるナースコールシステムの構成例を示すブロック図である。
【図２】本実施形態によるナースコールシステムの変形例を示すブロック図である。
【発明を実施するための形態】
【００１３】
以下、本発明の一実施形態を図面に基づいて説明する。なお、ここでは病院に設置される看護支援用のナースコールシステムを例にとって説明するが、本実施形態のナースコールシステムは、病院に設置されるものに限定されない。例えば、介護施設などに設置される場合にも適用可能である。図１は、本実施形態によるナースコールシステムの構成例を示すブロック図である。図１において、１はナースコール子機であり、患者のベッドの近傍に設置されており、患者などにより使用される。ここで、ナースコール子機１は、各患者に対して設置されている。また、ナースコール子機１は、子機制御部２、呼出操作部３、子機インターフェース４を備えて構成されている。
【００１４】
５は廊下灯であり、病室の出入口近傍の廊下側の壁面に設置されており、病室内の患者の氏名などを記載した患者情報表示部（図示せず）を備えている。これにより、廊下に居る医療従事者は、患者情報表示部を見ることで病室内の患者を把握することができる。ここで、廊下灯５は、廊下灯制御部６、廊下灯インターフェース７、表示部８、予備報知部９を備えて構成されている。
【００１５】
１０は制御機であり、ナースコール子機１と後述するナースコール親機２０との間の通信を制御する。ここで、制御機１０は、廊下灯５とナースコール親機２０との間に設置されている。
【００１６】
２０はナースコール親機であり、医療従事者が常駐するナースステーションなどに設置されており、医療従事者によって使用される。ここで、ナースコール親機２０は、制御部２１、インターフェース２２、記憶部２３、報知部２４、操作部２５を備えて構成されている。
【００１７】
まず、ナースコール子機１の各構成要素について説明する。子機制御部２は、ナースコール子機１の各構成要素を後述するように制御するためのものであり、ＣＰＵ（Central Processing Unit）などにより構成されている。呼出操作部３は、患者などが医療従事者を呼び出す際に操作される。
【００１８】
ここで、呼出操作部３が操作されると、子機制御部２は呼出信号を生成する。また、呼出信号には、このナースコール子機１を他のナースコール子機１と区別するための子機識別情報（例えば、ベッド番号情報など）が含まれる。子機インターフェース４は、ナースコール子機１とナースコール親機２０とを接続して通信を行うためのものである。ここで、子機インターフェース４は、子機制御部２により生成された呼出信号を廊下灯５および制御機１０を介してナースコール親機２０へ出力する。また、ナースコール子機１とナースコール親機２０との間で通話が可能である場合には、子機インターフェース４は、ナースコール子機１とナースコール親機２０との間で音声信号をやり取りするために使用される。
【００１９】
次に、廊下灯５の各構成要素について説明する。廊下灯制御部６は、廊下灯５の各構成要素を後述するように制御するためのものであり、ＣＰＵなどにより構成されている。廊下灯インターフェース７は、廊下灯５とナースコール子機１および制御機１０とを接続して通信を行うためのものである。ここで、廊下灯インターフェース７は、ナースコール子機１から出力された呼出信号を入力するとともに、入力した呼出信号を、制御機１０を介してナースコール親機２０へ出力する。また、廊下灯インターフェース７は、ナースコール親機２０から後述する操作信号を入力する。この操作信号は、ナースコール親機２０にて基板交換や修理などが行われている状態であることを示す信号である。
【００２０】
表示部８は、表示灯や液晶ディスプレイなどにより構成されており、廊下灯５に接続されているナースコール子機１にて呼出操作部３が操作されていることを表示する。具体的には、廊下灯インターフェース７がナースコール子機１から呼出信号を入力すると、廊下灯制御部６は、表示部８の表示灯を点滅させたり、液晶ディスプレイにポップアップを表させたりして、呼び出しが行われていることを表示する。
【００２１】
予備報知部９は、スピーカーなどにより構成されており、廊下灯５に接続されているナースコール子機１にて呼出操作部３が操作されていることを音声にて出力する。ここで、予備報知部９は、ナースコール親機２０の操作部２５が操作されている場合に、ナースコール子機１の呼出操作部３が操作されたときにのみ動作する。具体的には、廊下灯インターフェース７が操作信号を入力すると、廊下灯制御部６は、予備報知部９をスタンバイ状態にする。この状態で、廊下灯インターフェース７がナースコール子機１から呼出信号を入力すると、廊下灯制御部６は、予備報知部９のスピーカーから音声を出力させて
、呼び出しが行われていることを報知する。なお、この状態は、操作信号を入力しなくなるまで継続される。
【００２２】
次に、ナースコール親機２０の各構成要素について説明する。制御部２１は、ナースコール親機２０の各構成要素を後述するように制御するためのものであり、ＣＰＵなどにより構成されている。インターフェース２２は、ナースコール親機２０とナースコール子機１とを、制御機１０および廊下灯５を介して接続して通信を行うためのものである。ここで、インターフェース２２は、ナースコール子機１から出力された呼出信号を入力する。また、インターフェース２２は、制御部２１にて生成された操作信号を廊下灯５へ出力する。また、ナースコール親機２０とナースコール子機１との間で通話が可能である場合には、インターフェース２２は、ナースコール親機２０とナースコール子機１との間で音声信号をやり取りするために使用される。
【００２３】
記憶部２３は、メモリやハードディスクなどの記憶装置により構成されており、子機識別情報と、その子機識別情報によって特定されるナースコール子機１を使用している患者を他の患者と区別するための患者識別情報（例えば、患者氏名など）とを予め関連付けて記憶している。なお、子機識別情報がベッド番号情報などである場合には、ベッド番号情報により呼び出しが行われたナースコール子機１が設置された病室が分かるため、子機識別情報と患者識別情報とを関連付けて記憶部２３に記憶させることは必須ではない。
【００２４】
報知部２４は、スピーカーや液晶ディスプレイ、表示灯などにより構成されており、患者からの呼び出しをスピーカーから出力される音声や、液晶ディスプレイに表示されるポップアップ、表示灯の点灯や点滅によって報知するためのものである。
【００２５】
操作部２５は、ボタンなどにより構成されており、ナースコール親機２０にて基板交換や修理などが行われる際に操作されるものである。ここで、操作部２５が操作されると、制御部２１は、操作信号を生成する。そして、制御部２１にて生成された操作信号は、インターフェース２２により廊下灯５へ出力される。また、この状態で、再度操作部２５が操作されると、制御部２１は、操作信号の生成を終了する。
【００２６】
なお、本実施形態では、操作部２５が操作されると、操作部２５が再度操作されるまで、操作信号を生成され続け、インターフェース２２から出力され続けるが、これに限定されない。例えば、操作部２５が操作された場合に、制御部２１がワンショットの操作信号を生成し、操作部２５が再度操作された場合に、制御部２１がワンショットの操作終了信号を生成するようにしても良い。これにより、操作信号を生成し続けたり、出力し続けたりする必要がなくなる。
【００２７】
以上詳しく説明したように、本実施形態では、患者の居るベッド近傍に設置され、この患者が呼び出しを行う際に操作する呼出操作部３を備えたナースコール子機１と、このナースコール子機１が設置されている病室の出入口近傍の廊下側に設置され、ナースコール子機１により呼び出しが行われたことを表示部８にて視覚的に表示する廊下灯５と、呼び出しに対応する医療従事者が常駐するナースステーションに設置され、ナースコール子機１により呼び出しが行われたことを報知するナースコール親機２０と、ナースコール親機２０とナースコール子機１との間の通信を制御する制御機１０とを備えたナースコールシステムであって、ナースコール親機２０に設けられた操作部２５が操作された場合に、ナースコール子機１により呼び出しが行われたときにのみ、廊下灯５の廊下灯制御部６は、音声による報知を行う予備報知部９を動作させるようにしている。
【００２８】
これにより、ナースコール親機２０にて基板交換や修理などが行われる場合には、ナースコール親機２０に設けられた操作部２５を操作することで、ナースコール子機１による呼び出しが廊下灯５の予備報知部９により音声にて報知されるので、医療従事者はその音声を聞くことで、ナースコール子機１による患者の呼び出しを把握することができる。
【００２９】
なお、上述した本実施形態では、ナースコール親機２０に操作部２５を設けるようにしているが、これに限定されない。例えば、図２に示すように、制御機１０に操作部１３を設けるようにしても良いし、ナースコール親機２０および制御機１０の両方に操作部２５、１３を設けるようにしても良い。
【００３０】
具体的には、図２に示すように、制御機１０に制御起用制御部１１、制御機インターフェース１２、操作部１３を設ける。ここで、制御機用制御部１１は、制御機１０の各構成要素を後述するように制御するためのものであり、ＣＰＵなどにより構成されている。制御機インターフェース１２は、制御機１０と廊下灯５およびナースコール親機２０とを、接続して通信を行うためのものである。
【００３１】
ここで、廊下灯インターフェース１２は、ナースコール子機１から出力された呼出信号を入力するとともに、廊下灯５へ操作信号を出力する。操作部１３は、ボタンなどにより構成されており、制御機１０にて基板交換や修理などが行われる際に操作されるものである。ここで、操作部１３が操作されると、制御機用制御部１１は、操作信号を生成する。そして、制御機用制御部１１にて生成された操作信号は、制御機インターフェース１２により廊下灯５へ出力される。また、この状態で、再度操作部１３が操作されると、制御機用制御部１１は、操作信号の生成を終了する。
【００３２】
このように出力された操作信号を入力した廊下灯５の動作は、ナースコール親機２０に操作部２５を設けた実施形態と同様であるため、説明を省略する。
【００３３】
また、上述した本実施形態および変形例では、操作部２５、１３がボタンにより構成されており、操作部２５、１３を二回操作することで、操作信号を出力の停止を行っているが、これに限定されない。例えば、操作部２５、１３をスライドスイッチなどの二方向に操作可能なものとし、一方に操作した場合に操作信号を出力し、他方に操作した場合に操作信号の出力を停止するようにしても良い。
【００３４】
その他、上記実施形態は、何れも本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【符号の説明】
【００３５】
１    ナースコール子機
２    子機制御部
３    呼出操作部
４    子機インターフェース
５    廊下灯
６    廊下灯制御部
７    廊下灯インターフェース
８    表示部
９    予備報知部
１０    制御機
１１    制御機用制御部
１２    制御機インターフェース
２０    ナースコール親機
２１    制御部
２２    インターフェース
２３    記憶部
２４    報知部
１３、２５    操作部
【図１】
2014117439.tif 000003
【図２】
2014117439.tif 000004